(57)【要約】【課題】  一纏めのコラボレーションの歌唱映像を作成する際に、すべての歌唱映像の明るさを統一して、統一感があると共に、見易い歌唱映像とする。【解決手段】  カラオケ歌唱映像と明るさ情報をダウンロードせずに、カラオケ歌唱映像を録画する場合に、当該カラオケ歌唱映像の明るさを判定して明るさ情報を作成する歌唱映像明るさ判定手段６２と、カラオケ歌唱映像と明るさ情報とをダウンロードした場合に、ビデオカメラ３５から入力されるカラオケ歌唱映像の明るさが、当該ダウンロードした明るさ情報に基づく明るさと同等となるように、照明装置３６による照明の明るさを調整する照明調整手段６３とを備える。【選択図】図１
2014071392.tif 000002
【特許請求の範囲】
【請求項１】
カラオケ歌唱映像の明るさを判定する機能を有し、当該カラオケ歌唱画像を録画して公開可能であり、既に公開されたカラオケ歌唱映像とコラボレーション歌唱を行うためのシステムであって、歌唱映像管理手段と、歌唱映像検索手段と、ダウンロード手段と、照明調整手段と、歌唱映像録画手段と、歌唱映像明るさ判定手段と、コラボレーション歌唱映像作成手段と、歌唱映像送信手段と、を備え、
前記歌唱映像管理手段は、カラオケ演奏端末から受信したカラオケ歌唱映像と、当該カラオケ歌唱映像の明るさ情報とを関連付けて歌唱映像データベースにて管理し、
前記歌唱映像検索手段は、利用者により指定された検索条件に基づき、所望のカラオケ歌唱映像を抽出し、
前記ダウンロード手段は、前記抽出したカラオケ歌唱映像と、当該カラオケ歌唱映像に関連付けられた明るさ情報とを、カラオケ演奏端末にダウンロード可能とし、
前記照明調整手段は、カラオケ歌唱映像と明るさ情報とをダウンロードした場合に、ビデオカメラから入力されるカラオケ歌唱映像の明るさが、当該ダウンロードした明るさ情報に基づく明るさと同等となるように、照明装置による照明の明るさを調整し、
前記歌唱映像録画手段は、利用者のカラオケ歌唱映像を録画し、
前記歌唱映像明るさ判定手段は、カラオケ歌唱映像と明るさ情報をダウンロードせずに、カラオケ歌唱映像を録画する場合に、当該カラオケ歌唱映像の明るさを判定して明るさ情報を作成し、
前記コラボレーション歌唱映像作成手段は、前記カラオケ歌唱映像と明るさ情報をダウンロードした場合に、当該カラオケ歌唱映像と、前記録画したカラオケ歌唱映像とを結合して一纏めのカラオケ歌唱映像を作成し、
前記歌唱映像送信手段は、前記カラオケ歌唱映像と明るさ情報とを映像サーバに送信する、
ことを特徴とするコラボレーション歌唱映像の明るさ調整システム。
【発明の詳細な説明】
【技術分野】
【０００１】
本発明は、カラオケ歌唱映像を録画して公開可能であり、既に公開されたカラオケ歌唱映像とコラボレーション歌唱を行う際に、カラオケ歌唱映像の明るさを調整するためのシステムに関するものであり、特に、コラボレーション歌唱を行う際に、コラボレーション歌唱の対象となる歌唱映像と、これから撮影する歌唱映像の明るさを同等なものとして、違和感のないコラボレーション映像とすることが可能なコラボレーション歌唱映像の明るさ調整システムに関するものである。
【背景技術】
【０００２】
ネットワーク接続されたカラオケシステムには、動画共有システムとして、自らの歌唱姿態及び歌唱音声を録画して公開する機能を有しているものがある。この動画共有システムでは、予めメンバー登録した利用者がカラオケシステムにログインし、カラオケ歌唱映像の録画を行い、録画したカラオケ歌唱映像をサーバにアップロードする。この際、他の利用者によるコラボレーション録画の許可を行うことができる。そして、システム管理者が公開条件のチェックを行い、公開許可が与えられると、メンバー登録した利用者が閲覧可能となる。
【０００３】
コラボレーション録画が許可されたカラオケ歌唱映像が存在する場合には、当該カラオケ歌唱映像を読み込んで、コラボレーション録画を行うことができる。このコラボレーション録画機能を利用すると、予め公開したカラオケ歌唱映像を再生しながら、他の利用者や自分自身と、デュエットやハモリ歌唱を楽しむことができる。
【０００４】
従来、コラボレーション録画を行うための技術が種々提案されている（例えば、特許文献１参照）。特許文献１に記載された技術は、複数の歌唱の動画コンテンツを組み合わせたコンテンツの創作に好適な動画コンテンツを検索することができる動画コンテンツ検索装置に関するものである。この動画コンテンツ検索装置は、複数のカラオケユーザそれぞれの歌唱に係る動画コンテンツデータと、歌唱を行ったカラオケユーザを識別するためのユーザ識別情報と、動画コンテンツデータに対する評価内容を含む動画評価情報を対応付けて記憶している。また、動画コンテンツ検索装置は、ユーザ識別情報に対応するカラオケユーザの歌唱に対する評価内容を含む歌唱評価情報を対応付けたテーブルと、特定の動画評価情報及び歌唱評価情報を検索条件とする動画コンテンツデータの検索要求を受信する受信手段と、受信手段にて検索要求を受信した場合、検索要求に係る特定の動画評価情報及び歌唱評価情報並びにテーブルに基づいて、動画コンテンツデータを検索する検索手段とを備えている。
【先行技術文献】
【特許文献】
【０００５】
【特許文献１】特開２０１１−７５７０８号公報
【発明の概要】
【発明が解決しようとする課題】
【０００６】
ところで、コラボレーション録画を行う場合には、公開されているコラボレーションの対象となるカラオケ歌唱映像をダウンロードして、当該ダウンロードしたカラオケ歌唱映像と、自ら録画したカラオケ歌唱映像とを結合し、一纏めのコラボレーション歌唱映像とする。しかしながら、各カラオケ歌唱映像は同一の撮影環境で撮影されているとは限らず、照明装置やビデオカメラの性能の違い等に応じて、各カラオケ歌唱映像の明るさが異なることがある。
【０００７】
このように、一纏めのコラボレーション歌唱映像を作成する際に、各カラオケ歌唱映像の明るさが異なると、コラボレーションのカラオケ歌唱映像を視聴する視聴者にとって見づらい映像となってしまう。また、各カラオケ歌唱映像の明るさが異なると、統一感のないカラオケ歌唱映像となってしまい、コラボレーション録画の価値が下がってしまい、録画を行った利用者にとって満足できないカラオケ歌唱映像となるおそれがある。
【０００８】
本発明は、上述した事情に鑑み提案されたもので、既に公開されたカラオケ歌唱映像とコラボレーション歌唱を行うことが可能なカラオケシステムにおいて、一纏めのコラボレーション歌唱映像を作成する際に、すべてのカラオケ歌唱映像の明るさを統一して、統一感があると共に、見易いカラオケ歌唱映像とすることが可能なコラボレーション歌唱映像の明るさ調整システムを提供することを目的とする。
【課題を解決するための手段】
【０００９】
本発明は、上述した目的を達成するため、以下の特徴を有している。すなわち、本発明のコラボレーション歌唱映像の明るさ調整システムは、カラオケ歌唱映像の明るさを判定する機能を有し、当該カラオケ歌唱画像を録画して公開可能であり、既に公開されたカラオケ歌唱映像とコラボレーション歌唱を行うためのシステムであって、歌唱映像管理手段と、歌唱映像検索手段と、ダウンロード手段と、照明調整手段と、歌唱映像録画手段と、歌唱映像明るさ判定手段と、コラボレーション歌唱映像作成手段と、歌唱映像送信手段と、を備えたことを特徴とするものである。
【００１０】
歌唱映像管理手段は、カラオケ演奏端末から受信したカラオケ歌唱映像と、当該カラオケ歌唱映像の明るさ情報とを関連付けて歌唱映像データベースにて管理するための手段である。歌唱映像検索手段は、利用者により指定された検索条件に基づき、所望のカラオケ歌唱映像を抽出するための手段である。ダウンロード手段は、抽出したカラオケ歌唱映像と、当該カラオケ歌唱映像に関連付けられた明るさ情報とを、カラオケ演奏端末にダウンロード可能とするための手段である。
【００１１】
照明調整手段は、カラオケ歌唱映像と明るさ情報とをダウンロードした場合に、ビデオカメラから入力されるカラオケ歌唱映像の明るさが、当該ダウンロードした明るさ情報に基づく明るさと同等となるように、照明装置による照明の明るさを調整するための手段である。歌唱映像録画手段は、利用者のカラオケ歌唱映像を録画するための手段である。歌唱映像明るさ判定手段は、カラオケ歌唱映像と明るさ情報をダウンロードせずに、カラオケ歌唱映像を録画する場合に、当該カラオケ歌唱映像の明るさを判定して明るさ情報を作成するための手段である。
【００１２】
コラボレーション歌唱映像作成手段は、カラオケ歌唱映像と明るさ情報をダウンロードした場合に、当該カラオケ歌唱映像と、録画したカラオケ歌唱映像とを結合して一纏めのカラオケ歌唱映像を作成するための手段である。歌唱映像送信手段は、カラオケ歌唱映像と明るさ情報とを映像サーバに送信するための手段である。
【発明の効果】
【００１３】
本発明のコラボレーション歌唱映像の明るさ調整システムによれば、ダウンロードしたカラオケ歌唱映像とのコラボレーション歌唱映像を撮影する際に、ダウンロードしたカラオケ歌唱映像の明るさ情報に基づき、ビデオカメラから入力されるカラオケ歌唱映像の明るさが、当該ダウンロードしたカラオケ歌唱映像と同等となるように、照明装置による照明の明るさを調整する。
【００１４】
したがって、一纏めのコラボレーション歌唱映像を作成する際に、各カラオケ歌唱映像の明るさがほぼ同様なものとなり、コラボレーション歌唱映像を視聴する視聴者にとって見易い映像とすることができる。また、各カラオケ歌唱映像の明るさがほぼ同様なものであるため、統一感のあるコラボレーション歌唱映像となり、映像の価値を高めることができると共に、コラボレーション歌唱を行った利用者にとって満足できるコラボレーション歌唱映像とすることができる。
【図面の簡単な説明】
【００１５】
【図１】本発明の実施形態に係るコラボレーション歌唱映像の明るさ調整システムを適用したカラオケ演奏端末の構成を示すブロック図。
【図２】歌唱映像データベースの構成を示す説明図。
【図３】コラボレーション歌唱映像の一例を示す模式図。
【発明を実施するための形態】
【００１６】
以下、図面を参照して、本発明のコラボレーション歌唱映像の明るさ調整システムの実施形態について説明する。図１〜図３は本発明の実施形態に係るコラボレーション歌唱映像の明るさ調整システムを示すもので、図１はコラボレーション歌唱映像の明るさ調整システムを適用したカラオケ演奏端末の構成を示すブロック図、図２は歌唱映像データベースの構成を示す説明図、図３はコラボレーション歌唱映像の一例を示す模式図である。
【００１７】
＜システムの概要＞
本発明の実施形態に係るコラボレーション歌唱映像の明るさ調整システム１０は、コラボレーション歌唱を行う際に、照明装置の明るさを調整して、コラボレーション歌唱の対象となるカラオケ歌唱映像と、これから撮影するカラオケ歌唱映像の明るさを同等となるようにして、一纏まりのコラボレーション歌唱映像として違和感がなく、明るさに統一感があるコラボレーション歌唱映像とすることが可能なシステムである。
【００１８】
このコラボレーション歌唱映像の明るさ調整システム１０は、図１に示すように、歌唱映像管理手段２３と、歌唱映像検索手段３７ｅと、ダウンロード手段６４と、照明調整手段６３と、歌唱映像録画手段６１と、歌唱映像明るさ判定手段６２と、コラボレーション歌唱映像作成手段６５と、歌唱映像送信手段６６とにより実現される。
【００１９】
本発明の実施形態に係るコラボレーション歌唱映像の明るさ調整システム１０は、図１に示すように、映像サーバ２０と複数のカラオケ演奏端末３０とが、ルータ７０及び通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００２０】
＜カラオケ演奏端末＞
本発明の実施形態に係るコラボレーション歌唱映像の明るさ調整システム１０を適用するカラオケ演奏端末３０は、図１に示すように、カラオケ本体３１、スピーカ３２、マイクロホン３３、表示装置３４、ビデオカメラ３５、照明装置３６、カラオケリモコン装置３７、ミキシングアンプ３８を備えている。
【００２１】
＜カラオケリモコン装置＞
カラオケリモコン装置３７は、ユーザインタフェース機能を備えており、カラオケ本体３１のローカル送受信手段５６との間で有線方式又は無線方式によりデータの送受信を行うようになっている。このカラオケリモコン装置３７は、楽曲検索手段３７ａとして機能するプログラム、楽曲索引データベース３７ｂ、データ記憶部３７ｃ、入出力表示部３７ｄ、歌唱映像検索手段３７ｅとして機能するプログラム、データの送受信を行うための電子回路及びプログラム（図示せず）を備えている。このカラオケリモコン装置３７に付帯するスイッチ類や、入出力表示部３７ｄに表示される各種のアイコン等を操作することにより、選曲操作等が行われる。
【００２２】
＜楽曲検索手段／楽曲索引データベース＞
楽曲検索手段３７ａは、利用者の指示に基づき、楽曲索引データベース３７ｂを参照して楽曲を検索するためのプログラムからなる。楽曲索引データベース３７ｂは、カラオケ演奏端末３０で演奏に供されるカラオケ楽曲について、その属性情報を記述したデータベースであり、例えば、楽曲番号・曲名・歌手名・歌い出し部分の歌詞・流行時期・音楽ジャンル区分・演奏形態・デュエット曲など、種々の属性情報がこれに含まれている。楽曲検索手段３７ａにより楽曲検索を行うとカラオケリモコン装置３７の入出力表示部３７ｄに、検索結果が一覧表示される。
【００２３】
＜データ記憶部＞
データ記憶部３７ｃは、選曲予約の履歴等を記憶するための領域で、図示しないが、選曲予約データ、選曲予約履歴データ等、各種のデータが記憶される。
【００２４】
＜歌唱映像検索手段＞
歌唱映像検索手段３７ｅは、利用者により指定された検索条件に基づき歌唱映像データベース２４を検索して、所望の歌唱映像を抽出するためのプログラムからなる。後に詳述するが、歌唱映像データベース２４には、各歌唱映像の属性情報として、映像ＩＤ、明るさ情報、楽曲名、利用者ＩＤ等からなるデータレコードを有しており、これらの属性情報のいずれか１つあるいは２つ以上をキーワードとして、検索を行うことにより、所望の歌唱映像を抽出することができる。
【００２５】
なお、歌唱映像検索手段３７ｅをカラオケリモコン装置３７の機能手段とするのではなく、インターネット４０を介してネットワーク接続された利用者のパーソナルコンピュータ（図示せず）の機能手段としてもよい。この場合には、利用者のパーソナルコンピュータを、インターネット４０を介して、映像サーバ２０に接続することにより、所望の歌唱映像を抽出することができる。また、歌唱映像検索手段３７ｅの機能と、楽曲検索手段３７ａの機能を統合して、歌唱映像の検索及び従来と同様な楽曲の検索を行う機能手段を設けてもよい。
【００２６】
＜マイクロホン＞
マイクロホン３３は、歌唱音声の入力を行うための装置である。マイクロホン３３から入力された歌唱音声信号は、ミキシングアンプ３８により、音楽再生制御手段５８から送出される演奏音声信号とミキシングされると共に増幅され、スピーカ３２へ出力される。なお、マイクロホン３３からの音声入力信号を、Ａ／Ｄコンバータ５９によりデジタル変換して、歌唱採点やカラオケ歌唱映像の録画等に使用される。
【００２７】
＜表示装置＞
表示装置３４は、カラオケ楽曲に関連した背景映像や歌詞テロップ等を表示するための装置で、例えば、液晶ディスプレイ等により構成される。
【００２８】
＜ビデオカメラ＞
ビデオカメラ３５は、利用者の歌唱姿態を撮影するための装置であり、撮像レンズ及び撮像素子を主要な構成要素とし、フォーカシング機構、ズーム機構、パン・チルト機構等を備えていてもよい。ビデオカメラ３５で撮影が行われると、映像信号（ビデオ信号）が歌唱映像録画手段６１に送信される。
【００２９】
＜照明装置＞
照明装置３６は、利用者の歌唱姿態を撮影する際に、利用者を照明するための装置であり、電球、ＬＥＤ等どのような光源を用いてもよいが、供給する電力の調整を行ったり、点灯する発行素子数の調整を行ったりして、照明の明るさを調整可能である必要がある。
【００３０】
＜カラオケ本体＞
カラオケ本体３１は、図１に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、Ａ／Ｄコンバータ５９、映像再生制御手段６０、歌唱映像録画手段６１、歌唱映像明るさ判定手段６２、照明調整手段６３、ダウンロード手段６４、コラボレーション歌唱映像作成手段６５、歌唱映像送信手段６６を備えている。
【００３１】
＜中央制御手段＞
中央制御手段５２は、カラオケ本体３１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００３２】
＜ＲＯＭ／ＲＡＭ＞
ＲＯＭ５３は、カラオケ本体３１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能するもので、例えば半導体メモリ等で構成される。なお、物理的な半導体メモリによりＲＡＭ５４を構成するのではなく、ハードディスク記憶装置等を用いて仮想的なＲＡＭ５４を構成してもよい。本実施形態では、ＲＡＭ５４に予約待ち行列５４ａが記憶されるようになっている。この予約待ち行列５４ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３３】
＜ＨＤＤ＞
ＨＤＤ５５は、大容量記憶装置として機能するもので、楽曲データベース５５ａ、映像データベース５５ｂ、歌唱映像データ５５ｃが格納されている。なお、ＨＤＤ５５に替えて、あるいはＨＤＤ５５と共に、データを書き替え可能なＤＶＤ等の大容量記憶装置を用いてもよい。
【００３４】
＜楽曲データベース／映像データベース＞
楽曲データベース５５ａは、複数のカラオケ楽曲について、演奏データ及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータベースである。
【００３５】
＜歌唱映像データ＞
歌唱映像データ５５ｃは、ビデオカメラで撮影され、歌唱映像録画手段６１の機能により録画されたカラオケ歌唱映像データや、ダウンロード手段６４の機能により映像サーバ２０からダウンロードされたカラオケ歌唱映像データからなる。なお、ＨＤＤ５５の記憶容量を有効に使用するため、コラボレーション歌唱映像の作成処理や映像データの送信処理が実行された後に、該当する歌唱映像データ５５ｃを削除することが好ましい。
【００３６】
＜送受信手段＞
ローカル送受信手段５６は、カラオケ本体３１とカラオケリモコン装置３７との間で、データの送受信を行うための電子回路及びプログラムからなる。本実施形態では、赤外線通信により、カラオケ本体３１とカラオケリモコン装置３７との間でデータの送受信が行われる。ネットワーク送受信手段５１は、カラオケ本体３１と映像サーバ２０との間で、データの送受信を行うための電子回路及びプログラムからなる。
【００３７】
＜予約管理手段＞
予約管理手段５７は、楽曲検索手段３７ａの機能を用いて検索され、選曲予約された楽曲ＩＤを演奏順に並べて予約待ち行列５４ａを生成し、この予約待ち行列５４ａをＲＡＭ５４に格納して管理するためのプログラムからなる。
【００３８】
＜音楽再生制御手段＞
音楽再生制御手段５８は、楽曲ＩＤ及び選択された演奏形態に基づいて楽曲データベース５５ａから抽出された演奏データを、ミキシングアンプ３８に出力するための電子回路からなる。なお、演奏データがＭＩＤＩ規格の演奏制御データである場合には、この演奏制御データに基づいて、音源データをデジタル再生すると共にアナログ変換してミキシングアンプ３８に出力する。上述したように、ミキシングアンプ３８は、マイクロホン３３から入力された歌唱者の歌唱音声信号と、音楽再生制御手段５８から送出される演奏音声信号とをミキシングすると共に、アンプ機能により増幅してスピーカ３２より出力させるための装置である。
【００３９】
＜映像再生制御手段＞
映像再生制御手段６０は、カラオケ楽曲の演奏中に、映像データベース５５ｂから抽出した背景映像データと、演奏データに含まれる歌詞描出データに基づく歌詞文字とを、当該カラオケ楽曲の演奏データに同期させて表示装置３４に出力するためのプログラムからなる。また、本実施形態の映像再生制御手段６０は、コラボレーション歌唱映像を作成するために、コラボレーションの対象となるカラオケ歌唱映像データを表示装置３４に出力するための機能を有している。
【００４０】
＜歌唱映像録画手段＞
歌唱映像録画手段６１は、利用者のカラオケ歌唱映像を録画するための装置及びプログラムからなり、ビデオカメラ３５から入力されたビデオ信号に基づいてカラオケ歌唱映像の録画を行う。録画されたカラオケ歌唱映像は、歌唱映像データ５５ｃとして、ＨＤＤ５５に格納される。さらに、歌唱映像データ５５ｃは、インターネット４０を介して映像サーバ２０に送信され、映像サーバ２０において所定の記憶領域に格納される。なお、本実施形態では、照明装置３６の明るさを調整して、カラオケ歌唱映像の明るさを設定するようになっている。また、歌唱音声は、マイクロホン３３から入力される。
【００４１】
＜ダウンロード手段＞
ダウンロード手段６４は、歌唱映像検索手段３７ｅの機能により抽出したカラオケ歌唱映像と、当該カラオケ歌唱映像に関連付けられた明るさ情報とを、カラオケ演奏端末６４にダウンロード可能とするためのプログラムからなる。すなわち、ダウンロード手段６４は、映像サーバ２０にアクセスし、利用者の指定に基づいて検索して抽出されたカラオケ歌唱映像と当該カラオケ歌唱映像に関連付けられた明るさ情報をダウンロードする。このカラオケ歌唱映像が、コラボレーション歌唱の元映像となる。
【００４２】
＜歌唱映像明るさ判定手段＞
歌唱映像明るさ判定手段６２は、カラオケ歌唱映像と明るさ情報をダウンロードせずに、カラオケ歌唱映像を録画する場合に、当該カラオケ歌唱映像の明るさを判定して明るさ情報を作成するためのプログラムからなる。すなわち、歌唱映像明るさ判定手段６２は、ダウンロードしたカラオケ歌唱映像とのコラボレーションを行わないで、カラオケ歌唱映像を撮影する際に機能する手段であり、歌唱映像録画手段６１に入力されるビデオ信号に基づいて、当該カラオケ歌唱映像の明るさを判定する。
【００４３】
＜照明調整手段＞
照明調整手段６３は、カラオケ歌唱映像と明るさ情報とをダウンロードした場合に、ビデオカメラ３５から入力されるカラオケ歌唱映像の明るさが、当該ダウンロードした明るさ情報に基づく明るさと同等となるように、照明装置３６による照明の明るさを調整ための装置及びプログラムからなる。
【００４４】
すなわち、照明調整手段６３は、コラボレーション歌唱映像の撮影に際して、ダウンロードしたカラオケ歌唱映像の明るさと同等の明るさのカラオケ歌唱映像となるように、照明装置３６による照明の明るさを調整する。照明装置３６による照明の明るさは、ビデオカメラ３５から入力されるビデオ信号に基づいて判定され、判定した明るさが、ダウンロードしたカラオケ歌唱映像の明るさと同等となるように、照明装置３６へ供給する電力を調整したり、点灯する発行素子数を調整したりして、照明の明るさを調整する。
【００４５】
＜コラボレーション歌唱映像作成手段＞
コラボレーション歌唱映像作成手段６５は、カラオケ歌唱映像と明るさ情報をダウンロードした場合に、当該カラオケ歌唱映像と、録画したカラオケ歌唱映像とを結合して一纏めのカラオケ歌唱映像を作成するためのプログラムからなる。
【００４６】
すなわち、コラボレーション歌唱映像作成手段６５では、コラボレーション歌唱映像の元となるカラオケ歌唱映像と、当該カラオケ歌唱映像とコラボレーションを行うために撮影したカラオケ歌唱映像とを結合して、一纏めのコラボレーション歌唱映像を作成する。
【００４７】
なお、コラボレーション歌唱映像として一纏めにできるカラオケ歌唱映像の数は、映像サーバ２０のデータ格納容量や、ネットワーク（インターネット４０）のトラフィック等に応じて、適宜設定することができる。
【００４８】
＜歌唱映像送信手段＞
歌唱映像送信手段６６は、カラオケ歌唱映像と明るさ情報とを映像サーバ２０に送信するためのプログラムからなる。すなわち、カラオケ演奏端末３０において、カラオケ歌唱映像が録画され、あるいはコラボレーション歌唱映像作成手段６５の機能によりコラボレーションのカラオケ歌唱映像が作成されると、歌唱映像送信手段６６の機能により、カラオケ歌唱映像と、当該カラオケ歌唱映像の明るさ情報とを映像サーバ２０に送信する。
【００４９】
＜映像サーバ＞
映像サーバ２０は、カラオケ歌唱映像を格納して公開するためのサーバで、サーバ制御手段２１、送受信手段２２、歌唱映像管理手段２３、歌唱映像データベース２４を備えている。なお、カラオケ歌唱映像を管理するための専用の映像サーバ２０を備えるのではなく、他のサーバに映像サーバ２０の機能を兼ね備えさせてもよい。また、仮想化技術により、一つのサーバを複数の機能を有するサーバとして機能させ、そのうちの仮想化サーバの一つとして映像サーバ２０を構築することができる。
【００５０】
＜サーバ制御手段／送受信手段＞
サーバ制御手段２１は、中継サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。送受信手段２２は、各カラオケ演奏端末３０との間で、カラオケデータ等の各種データの送受信を行うための手段であり、通信ネットワーク（インターネット４０）における通信方式の整合性を保つための通信回路やプログラムにより構成される。
【００５１】
＜歌唱映像管理手段＞
歌唱映像管理手段２３は、カラオケ演奏端末３０から受信したカラオケ歌唱映像と、当該カラオケ歌唱映像の明るさ情報とを関連付けて歌唱映像データベース２４にて管理するためのプログラムからなる。すなわち、歌唱映像管理手段２３は、単独のカラオケ歌唱映像や、複数のカラオケ歌唱映像を一纏めにしたコラボレーションのカラオケ歌唱映像について、その明るさ情報を関連付けて歌唱映像データベース２４に登録して管理する。
【００５２】
歌唱映像データベース２４は、図２に示すように、カラオケ歌唱映像を識別するための識別情報を関連付けて構成されている。すなわち、歌唱映像データベース２４は、映像ＩＤ、明るさ、楽曲名、利用者ＩＤを関連付けて構成されている。なお、歌唱映像データベース２４を構成する各データとして、アーティスト名、作曲者名、利用者のハンドルネーム、利用者の性別、撮影日時等を含んでいてもよい。
【００５３】
なお、本実施形態では、カラオケ演奏端末３０から受信したカラオケ歌唱映像（コラボレーション歌唱映像を含む）及び明るさ情報は、そのインデックス情報が、歌唱映像管理手段２３の機能により歌唱映像データベース２４にて管理されると共に、映像データ自体は、所定の記憶領域（例えば、ＨＤＤ）に格納される。
【００５４】
＜他の実施形態＞
本発明のコラボレーションカラオケ歌唱映像の明るさ調整システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、ネットワークを介して複数のカラオケ演奏端末３０を接続するのではなく、一つの店舗内において、ＬＡＮ接続された複数のカラオケ演奏端末３０と、当該店舗内に設置された映像サーバ２０とを利用して、コラボレーション歌唱映像の明るさ調整システム１０を構成してもよい。
【符号の説明】
【００５５】
１０  コラボレーション歌唱映像の明るさ調整システム
２０  映像サーバ
２１  サーバ制御手段
２２  送受信手段
２３  歌唱映像管理手段
２４  歌唱映像データベース
３０  カラオケ演奏端末
３１  カラオケ本体
３２  スピーカ
３３  マイクロホン
３４  表示装置
３５  ビデオカメラ
３６  照明装置
３７  カラオケリモコン装置
３７ａ  楽曲検索手段
３７ｂ  楽曲索引データベース
３７ｃ  データ記憶部
３７ｄ  入出力表示部
３７ｅ  歌唱映像検索手段
３８  ミキシングアンプ
４０  インターネット
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５５ｃ  歌唱映像データ
５６  ローカル送受信手段
５７  予約管理手段
５８  音楽再生制御手段
５９  Ａ／Ｄコンバータ
６０  映像再生制御手段
６１  歌唱映像録画手段
６２  歌唱映像明るさ判定手段
６３  照明調整手段
６４  ダウンロード手段
６５  コラボレーション歌唱映像作成手段
７０  ルータ
【図１】
2014071392.tif 000003
【図２】
2014071392.tif 000004
【図３】
2014071392.tif 000005